(57)【要約】【課題】停電発生時の無駄なバッテリ消費を抑え、バッテリでのプリント動作が必要になった際、使用することができる画像形成装置を提供する。【解決手段】ＡＣアダプタ３１で駆動していることを検知する手段と、バッテリ２で駆動していることを検知する手段と、停電が発生したことを検知する手段と、停電が発生した場合にプリンタの電源をシャットダウンする手段と、を備える。【選択図】図３
2016095680.tif 000002
【特許請求の範囲】
【請求項１】
ＡＣアダプタで駆動していることを検知する手段と、
バッテリで駆動していることを検知する手段と、
停電が発生したことを検知する手段と、
停電が発生した場合にプリンタの電源をシャットダウンする手段と、
を備えたことを特徴とする画像形成装置。
【請求項２】
さらに、印刷中であることを検知する手段と、
印刷ジョブの有無を検知する手段と、を備え、
停電が発生した場合には印刷がすべて完了した後にシャットダウンを行うことを特徴とする請求項１記載の画像形成装置。
【請求項３】
さらに、停電にてシャットダウンを行ったことを保有する手段と、
停電が解消されたことを検知する手段と、
停電にてシャットダウンを行った場合には自動でプリンタの電源をオンさせる手段と、
を備えたことを特徴とする請求項１記載の画像形成装置。
【請求項４】
さらに、停電検知までの時間とシャットダウンと自動復帰とをユーザが自由に設定可能な手段を備えたことを特徴とする請求項１記載の画像形成装置。
【請求項５】
さらに、停電検知までの時間とシャットダウンと自動復帰とをユーザが設定していない場合は、プリンタ稼動時以外は省エネ状態に移行し、一定時間後にはシャットダウンする手段を備えたことを特徴とする請求項１記載の画像形成装置。
【発明の詳細な説明】
【技術分野】
【０００１】
本発明は、バッテリを搭載した画像形成装置に関する。
【背景技術】
【０００２】
ＡＣアダプタとバッテリのどちらでも駆動可能なプリンタで、停電などでＡＣアダプタからの電源供給が停止した場合でも、バッテリ駆動に切り替えてプリント動作を継続させることを可能とする電源制御技術が既に知られている。
【０００３】
特許文献１には、停電発生時にノートＰＣの安全なシャットダウンを行う目的で、停電を検知し、所定の時間が経過した際にＰＣをシャットダウンする構成が開示されている。
【発明の概要】
【発明が解決しようとする課題】
【０００４】
しかし、従来のバッテリ駆動可能なプリンタは、ＡＣアダプタからの電源供給が停止すると、自動でバッテリ駆動を継続し、無駄にバッテリを消費してしまい、バッテリでプリンタを駆動させたいときに使用できないという問題があった。
また、特許文献１に開示された技術は、充電を検知してシャットダウンを行い、バッテリでプリンタを駆動させたいときに使用できないという問題は解消できていない。
【０００５】
本発明は、前記課題を解決するためのものであり、その目的とするところは、停電発生時の無駄なバッテリ消費を抑え、バッテリでのプリント動作が必要になった際、使用することができる画像形成装置を提供することである。
【課題を解決するための手段】
【０００６】
かかる目的を達成するために、本発明は、以下の特徴を有する。
【０００７】
本発明に係る画像形成装置は、ＡＣアダプタで駆動していることを検知する手段と、バッテリで駆動していることを検知する手段と、停電が発生したことを検知する手段と、停電が発生した場合にプリンタの電源をシャットダウンする手段と、を備えたことを特徴とする。
【発明の効果】
【０００８】
本発明によれば、停電発生時の無駄なバッテリ消費を抑え、バッテリでのプリント動作が必要になった際、プリンタを使用することができる。
【図面の簡単な説明】
【０００９】
【図１】本実施形態に係るバッテリを搭載したマルチファンクションインクジェットプリンタを示す斜視図である。
【図２】本実施形態に係るバッテリを示す斜視図である。
【図３】本実施形態に係る電源制御回路を示すブロック図である。
【図４】第１の実施形態に係るシャットダウン処理を示すフローチャートである。
【図５】第２の実施形態に係るシャットダウン処理を示すフローチャートである。
【図６】停電時設定を示す図である。
【図７】第３の実施形態に係るシャットダウン処理を示すフローチャートである。
【図８】第４の実施形態に係るシャットダウン処理を示すフローチャートである。
【図９】従来のインクジェット記録装置の全体構成を示す側面図である。
【図１０】図９における液滴吐出ヘッド部分を示す平面図である。
【図１１】従来の画像形成装置の制御部を示すブロック図である。
【発明を実施するための形態】
【００１０】
以下、本実施形態について図面により詳細に説明する。
【００１１】
図９は、従来のインクジェット記録装置の全体構成を示す側面図である。図１０は、図９における液滴吐出ヘッド部分を示す平面図である。図９および図１０を参照して、インクジェット記録装置の内部構成の概要および機構部について説明する。
【００１２】
フレーム２２１を構成する左右の側板２２１Ａ、２２１Ｂに横架したガイド部材であるガイドロッド２３１とステー２３２とでキャリッジ２３３を主走査方向に摺動自在に保持し、図示しない主走査モータによって同じく図示しないタイミングベルトを介して図１０で矢示方向（キャリッジ主走査方向）に移動走査する。
【００１３】
このキャリッジ２３３には、イエロー（Ｙ）、シアン（Ｃ）、マゼンタ（Ｍ）、ブラック（Ｂｋ）の各色のインク滴を吐出する４個の液滴吐出ヘッドからなる記録ヘッド２３４を複数のインク吐出口を主走査方向と交叉する方向に配列し、インク滴吐出方向を下方に向けて装着している。
【００１４】
記録ヘッド２３４を構成するインクジェットヘッドとしては、圧電素子などの圧電アクチュエータ、発熱抵抗体などの電気熱変換素子を用いて液体の膜沸騰による相変化を利用するサーマルアクチュエータ、温度変化による金属相変化を用いる形状記憶合金アクチュエータ、静電力を用いる静電アクチュエータなどを、液滴を吐出するための圧力を発生する圧力発生手段として備えたものなどを使用できる。
【００１５】
本実施形態では全インク吐出口を同時に駆動させる以外に、時間的に分割して駆動させることができる。全インク吐出口を同時に駆動させると、各全インク吐出口間のクロストークの影響による記録品位の低下や、一時的に大電流が必要になることにより電源の大容量化などの不利益が生じる場合があるが、時分割駆動することでこれらの不利益を避けることができる。この記録ヘッド２３４にはドライバＩＣを搭載し、図示しない制御部との間でハーネス（フレキシブルプリントケーブル）を介して接続している。
【００１６】
また、キャリッジ２３３には、記録ヘッド２３４に各色のインクを供給するための各色のサブタンク２３５を搭載している。この各色のサブタンク２３５には各色のインク供給チューブ２３６を介して、前述したように、カートリッジ装填部４に装着された各色のインクカートリッジ２１０から各色のインクが補充供給される。なお、このカートリッジ装填２０４にはインクカートリッジ２１０内のインクを送液するための供給ポンプユニットが設けられ、また、インク供給チューブ２３６は這い回しの途中でフレーム２２１を構成する後板に係止部材にて保持されている。
【００１７】
一方、給紙トレイ２０２の用紙積載部（圧板）２４１上に積載した用紙２４２を給紙するための給紙部として、用紙積載部２４１から用紙２４２を１枚ずつ分離給送する半月コロ（給紙コロ）２４３および該給紙コロ２４３に対向し、摩擦係数の大きな材質からなる分離パッド２４４を備え、この分離パッド２４４は給紙コロ２４３側に付勢されている。
【００１８】
そして、この給紙部から給紙された用紙２４２を記録ヘッド２３４の下方側に送り込むために、用紙２４２を案内するガイド部材２４５と、カウンタローラ２４６と、搬送ガイド部材２４７と、先端加圧コロ２４９を有する押さえ部材２４８とを備えると共に、給送された用紙２４２を静電吸着して記録ヘッド２３４に対向する位置で搬送するための搬送手段である搬送ベルト２５１を備えている。
【００１９】
この搬送ベルト２５１は、無端状ベルトであり、搬送ローラ２５２とテンションローラ２５３との間に掛け渡されて、ベルト搬送方向（副走査方向）に周回するように構成している。この搬送ベルト２５１は、例えば、抵抗制御を行っていない純粋な厚さ４０μｍ程度の樹脂材、例えば、ＥＴＦＥピュア材で形成した用紙吸着面となる表層と、この表層と同材質でカーボンによる抵抗制御を行った裏層（中抵抗層、アース層）とを有している。
【００２０】
そして、この搬送ベルト２５１の表面を帯電させるための帯電手段である帯電ローラ２５６を備えている。この帯電ローラ２５６は、搬送ベルト２５１の表層に接触し、搬送ベルト２５１の回動に従動して回転するように配置され、加圧力として軸の両端に所定の押圧力をかけている。なお、搬送ローラ２５２はアースローラの役目も担っており、搬送ベルト２５１の中抵抗層（裏層）と接触配置され接地している。
【００２１】
また、搬送ベルト２５１の裏側には、記録ヘッド２３４による印写領域に対応してガイド部材２５７を配置している。このガイド部材２５７は、上面が搬送ベルト２５１を支持する２つのローラ（搬送ローラ２５２とテンションローラ２５３）の接線よりも記録ヘッド２３４側に突出させることで搬送ベルト２５１の高精度な平面性を維持するようにしている。
【００２２】
この搬送ベルト２５１は、図示しない副走査モータによって搬送ローラ２５２が回転駆動されることによって搬送ベルト２５１が図１０のベルト搬送方向（副走査方向）に周回移動する。
【００２３】
さらに、記録ヘッド２３４で記録された用紙２４２を排紙するための排紙部として、搬送ベルト２５１から用紙２４２を分離するための分離爪２６１と、排紙ローラ２６２及び排紙コロ２６３とを備え、排紙ローラ２６２の下方に排紙トレイ２０３を備えている。ここで、排紙ローラ２６２と排紙コロ２６３との間から排紙トレイ２０３までの高さは排紙トレイ２０３にストックできる量を多くするためにある程度高くしている。
【００２４】
また、装置本体の背面部には両面ユニット２７１が着脱自在に装着されている。この両面ユニット２７１は搬送ベルト２５１の逆方向回転で戻される用紙２４２を取り込んで反転させて再度カウンタローラ２４６と搬送ベルト２５１との間に給紙する。また、この両面ユニット２７１の上面は手差しトレイ２７２としている。
【００２５】
さらに、図１０に示すように、キャリッジ２３３の走査方向一方側の非印字領域には、記録ヘッド２３４のノズルの状態を維持し、回復するための回復手段を含む維持回復機構２８１を配置している。
【００２６】
この維持回復機構２８１には、記録ヘッド２３４の各ノズル面をキャピングするための各キャップ部材（以下「キャップ」という）２８２ａ，２８２ｂ（区別しないときは「キャップ２８２」という）と、ノズル面をワイピングするためのブレード部材であるワイパーブレード２８３と、増粘した記録液を排出するために記録に寄与しない液滴を吐出させる空吐出を行うときの液滴を受ける空吐出受け２８４などを備えている。ここでは、キャップ２８２ａを吸引及び保湿用キャップとし、キャップ２８２ｂは保湿用キャップとしている。
【００２７】
そして、この維持回復機構２８１による維持回復動作で生じる記録液の廃液、キャップ２８２に排出されたインク、あるいはワイパーブレード２８３に付着してワイパークリーナで除去されたインク、空吐出受け２８４に空吐出されたインクは図示しない廃液タンクに排出されて収容される。
【００２８】
また、図１０に示すように、キャリッジ２３３の走査方向他方側の非印字領域には、記録中などに増粘した記録液を排出するために記録に寄与しない液滴を吐出させる空吐出を行うときの液滴を受ける空吐出受け２８８を配置し、この空吐出受け２８８には記録ヘッド２３４のノズル列方向に沿った開口２８９などを備えている。
【００２９】
さらに、装置本体の内部後方側にはホストとの間でデータを送受するためのＵＳＢなどの通信回路部（インタフェース）が設けられると共に、この画像形成装置全体の制御を司る制御部を構成する制御回路基板が設けられている。
【００３０】
このように構成したインクジェット記録装置においては、給紙トレイ２０２から用紙２４２が１枚ずつ分離給紙され、略鉛直上方に給紙された用紙２４２はガイド２４５で案内され、搬送ベルト２５１とカウンタローラ２４６との間に挟まれて搬送され、更に先端を搬送ガイド２４７で案内されて先端加圧コロ２４９で搬送ベルト２５１に押し付けられ、略９０°搬送方向を転換される。
【００３１】
このとき、図示しない制御回路によってＡＣバイアス供給部から帯電ローラ２５６に対してプラス出力とマイナス出力とが交互に繰り返すように、つまり交番する電圧が印加され、搬送ベルト２５１が交番する帯電電圧パターン、すなわち、周回方向である副走査方向に、プラスとマイナスが所定の幅で帯状に交互に帯電されたものとなる。このプラス、マイナス交互に帯電した搬送ベルト２５１上に用紙２４２が給送されると、用紙２４２が搬送ベルト２５１に吸着され、搬送ベルト２５１の周回移動によって用紙２４２が副走査方向に搬送される。
【００３２】
そこで、キャリッジ２３３を移動させながら画像信号に応じて記録ヘッド２３４を駆動することにより、停止している用紙２４２にインク滴を吐出して１行分を記録し、用紙２４２を所定量搬送後、次の行の記録を行う。記録終了信号または用紙２４２の後端が記録領域に到達した信号を受けることにより、記録動作を終了して、用紙２４２を排紙トレイ２０３に排紙する。
【００３３】
また、印字（記録）待機中にはキャリッジ２３３は維持回復機構２８１側に移動されて、キャップ２８２で記録ヘッド２３４がキャッピングされて、ノズルを湿潤状態に保つことによりインク乾燥による吐出不良を防止する。また、キャップ２８２で記録ヘッド２３４をキャッピングした状態で図示しない吸引ポンプによってノズルから記録液を吸引し（「ノズル吸引」または「ヘッド吸引」という）し、増粘した記録液や気泡を排出する回復動作を行う。また、記録開始前、記録途中などに記録と関係しないインクを吐出する空吐出動作を行う。これによって、記録ヘッド２３４の安定した吐出性能を維持する。
【００３４】
図１１は、従来の画像形成装置の制御部を示すブロック図である。この制御部は、この装置全体の制御を司る用紙の搬送動作および記録ヘッドの移動動作に関する制御を司る手段を兼ねたＣＰＵ３０１と、ＣＰＵ３０１が実行するプログラム、その他の固定データを格納するＲＯＭ３０２と、画像データ等を一時格納するＲＡＭ３０３と、装置の電源が遮断されている間もデータを保持するための書き換え可能な不揮発性メモリ（ＮＶＲＡＭ）３０４と、画像データに対する各種信号処理、並び替え等を行う画像処理やその他装置全体を制御するための入出力信号を処理するＡＳＩＣ３０５とを備えている。
【００３５】
また、この制御部は、ホスト側とのデータ、信号の送受を行うためのＩ／Ｆ３０６と、記録ヘッドを駆動するための駆動波形を生成すると共に、記録ヘッドの圧力発生手段を選択駆動させる画像データおよびそれに伴う各種データをヘッドドライバ３０７に出力するヘッド制御部３０８と、主走査モータ３０９を駆動するための主走査モータ駆動部３１０と、副走査モータ３１１を駆動するための副走査モータ駆動部３１２と、帯電ローラ３１３にＡＣバイアスを供給するＡＣバイアス供給部３１４と、リニアエンコーダ３１５、ホイールエンコーダ３１６からの検出パルス、およびその他の各種センサからの検知信号を入力するためのＩ／Ｏ３１７などを備えている。
【００３６】
また、この制御部には、この装置に必要な情報の入力および表示を行うための操作パネル３２０が接続されている。
ここで、制御部は、パーソナルコンピュータ等の情報処理装置、イメージスキャナなどの画像読み取り装置、デジタルカメラなどの撮像装置などのホストのプリンタドライバが生成した印刷データ等をケーブル或いはネットを介してＩ／Ｆで受信する。
【００３７】
そして、制御部のＣＰＵ３０１は、Ｉ／Ｆ３０６に含まれる受信バッファ内の印刷データを読み出して解析し、ＡＳＩＣ３０５にて必要な画像処理、データの並び替え処理等を行ってヘッド制御部３０８に転送し、ヘッド制御部３０８から所要のタイミングでヘッドドライバ３０７に画像データや駆動波形を出力する。
【００３８】
なお、画像出力するためのドットパターンデータの生成は、例えば、ＲＯＭ３０２にフォントデータを格納して行っても良いし、ホスト側のプリンタドライバ３１８で画像データをビットマップデータに展開してこの装置に転送するようにしても良い。ここでは、プリンタドライバ３１８で行うようにしている。
【００３９】
ヘッド制御部３０８の駆動波形生成部は、ＲＯＭ３０２に格納されてＣＰＵ３０１で読み出される駆動パルスのパターンデータをＤ／Ａ変換するＤ／Ａ変換器及び増幅器等で構成され、１つの駆動パルス或いは複数の駆動パルスで構成される駆動波形をヘッドドライバ３０７に対して出力する。
【００４０】
ヘッドドライバ３０７は、シリアルに入力される記録ヘッドの１行分に相当する画像データ（ドットパターンデータ）に基づいてヘッド制御部３０８の駆動波形生成部から与えられる駆動波形を構成する駆動パルスを選択的に記録ヘッド３１９の圧力発生手段に対して印加することで記録ヘッドを駆動する。
【００４１】
なお、このヘッドドライバ３０７は、例えば、クロック信号および画像データであるシリアルデータを入力するシフトレジスタと、シフトレジスタのレジスト値をラッチ信号でラッチするラッチ回路と、ラッチ回路の出力値をレベル変化するレベル変換回路（レベルシフタ）と、このレベルシフタでオン／オフが制御されるアナログスイッチアレイ（スイッチ手段）等を含み、アナログスイッチアレイのオン／オフを制御することで駆動波形に含まれる所要の駆動パルスを選択的に記録ヘッド３１９の圧力発生手段に印加する。
【００４２】
図１は、本実施形態に係るバッテリ２を搭載したマルチファンクションインクジェットプリンタ１（以下、ＭＦＰと称する。）を示す斜視図である。なお、ＭＦＰ１に特化する実施形態ではなく、プリンタ機能のみを搭載したシングルファンクションプリンタへの適用も当然可能であるものとする。
【００４３】
ＭＦＰ１はスキャナユニット３とプリンタ４とを含んで構成されており、コピー機能やプリンタ機能はもちろんであるが、ＦＡＸ機能やＵＳＢメモリあるいはデジカメなどからダイレクトに印刷が可能な機能を搭載しているものもある。
【００４４】
プリンタ４は、インクカートリッジを挿入するスペース５や印刷用紙の保管場所６、印刷後に排紙されるトレイ７、プリンタの操作を行う操作パネル８、プリンタの状態を表示する液晶パネル９などを有している。バッテリの残量は、マシンフロントに設けたＬＥＤ１１を用いて、ユーザが目視可能である。
【００４５】
ＬＥＤ１１は、省エネ中や電源ＯＦＦの際は消費電力削減のため点灯させないようにし、必要なときはスイッチ１２を押下することで点灯可能である。スイッチ１３は、排紙トレイ７を照らすことが可能なＬＥＤ照明を制御するスイッチである。その他、充電中パイロットＬＥＤ１４や充電エラーＬＥＤ１５で、ユーザがプリンタの状態を一目で認識できるような構成としている。
【００４６】
図２は、本実施形態に係るバッテリ２を示す斜視図である。図２は、プリンタを駆動させるためのバッテリ２であり、基本は機器専用のバッテリ２を使用することが想定される。端子２１にてプリンタ本体へ電源の供給を行う。
【００４７】
図３は、本実施形態に係る電源制御回路を示すブロック図である。ＭＦＰ１の駆動には、バッテリ２とＡＣアダプタ３１との両方を使用することが可能である。バッテリ２は、一般的にリチウムイオン電池やニッケル水素電池が用いられる。
【００４８】
電源制御回路は、ＡＣアダプタ３１とバッテリ２との電源を切り替える切替回路３５や充電制御をする残量検知回路３２などを実装した基板３３と、ＡＳＩＣやＲＯＭなどを搭載したメインとなる制御基板３４とを含んで構成される。
【００４９】
ＡＣアダプタ３１とバッテリ２との切り替えは、ＦＥＴと制御ＩＣとを有する切替回路３５で行われ、制御基板３４に搭載した図１１に図示したＣＰＵ３０１にて、切替回路用の制御信号３６を制御することでバッテリ電源３７への切り替えとバッテリへの充電制御３８が行われる。
【００５０】
また、切替回路３５からの検知信号３９にて、ＡＣアダプタ３１から電源が供給されているか否かＣＰＵ３０１が判断する。ＡＣアダプタ３１にてプリンタが動作している状態から、ＡＣアダプタ３１からの電源供給が絶たれたことを検知した場合は、停電と判断するものとする。
【００５１】
ＡＣアダプタおよびバッテリから供給された単一電源から、ＤＣ／ＤＣコンバータ４０とＤＣ／ＤＣコンバータ４１とを用いて、制御基板やプリンタのヘッド駆動、用紙搬送などで使用するための電圧を生成する。
【００５２】
バッテリの残量検知は、バッテリの電圧をコンパレータＩＣにて、あらかじめ分圧抵抗で設定した基準電圧との比較を行い、残量に応じて５段階でＬＥＤ１１を光らせる。また、ＬＥＤの点灯消灯制御を利用して、バッテリの残量が少なくなってきた場合は「残量少信号」４２を取り出し、残量がなくなったときは「残量無信号」４３を取り出し、図１１に記載のＣＰＵ３０１にて状態を検知するようにする。
【００５３】
なお、残量無信号４３を検知すると、プリンタは印刷動作を停止し、速やかに電源ＯＦＦ制御を行い、ヘッドの保護のためのキャッピングを行う。制御基板３４からの信号４４は、残量検知回路３２を制御する信号であり、残量を検知してＬＥＤを点灯させるか否かを決定する。
【００５４】
（第１の実施形態）
図４は、第１の実施形態に係るシャットダウン処理を示すフローチャートである。ＡＣアダプタから電源が供給されている状態から（ステップＳ１）、供給が絶たれたことを切替回路３５からの検知信号３９にてＣＰＵ３０１が判断した場合（ステップＳ２、Ｙｅｓ）、そのときのプリンタの状態に応じてプリンタの制御を切り替える。
【００５５】
例えば、印刷動作中や印刷ジョブの有無をＣＰＵ３０１が判断する（ステップＳ３、Ｓ５）。印刷中であれば（ステップＳ３、Ｙｅｓ）、印刷が完了するまでは動作を継続する（ステップＳ４）。印刷が完了した場合（ステップＳ４、Ｙｅｓ）、プリンタの電源をシャットダウンさせる（ステップＳ８）。
【００５６】
印刷ジョブがある場合は（ステップＳ５、Ｙｅｓ）、ジョブ受信後印刷動作を完了させて（ステップＳ６、Ｓ７）、その後プリンタの電源をシャットダウンさせる（ステップＳ８）。また、印刷ジョブがない場合は（ステップＳ５、Ｎｏ）、プリンタの電源をシャットダウンさせる（ステップＳ８）。使用中の不用意なシャットダウンにて生産性の低下を抑えることができる。
【００５７】
（第２の実施形態）
図５は、第２の実施形態に係るシャットダウン処理を示すフローチャートである。停電を検知してプリンタのシャットダウンを行った場合、図１１に示すＲＯＭ３０２に停電によるシャットダウンフラグをたてるようにする。
【００５８】
プリンタ電源オフ状態で（ステップＳ１１）、ＡＣアダプタ３１からの電源供給が再開した場合（ステップＳ１２、Ｙｅｓ）、図３に示す切替回路３５のＡＣアダプタ３１の電源検知信号３９から、ＣＰＵ３０１にて停電状態が解消されたと判断し、ＣＰＵ３０１がＲＯＭ３０２にアクセスして停電によるシャットダウンフラグの有無を確認する（ステップＳ１３）。
【００５９】
停電によるシャットダウンフラグを確認できた場合は（ステップＳ１３、Ｙｅｓ）、プリンタの電源を自動で復帰させる動作を行い、待機状態へと移行させる（ステップＳ１５）。停電解消後、自動でプリンタ電源が復帰するため利便性を上げることができる。
【００６０】
停電によるシャットダウンフラグを確認できない場合は（ステップＳ１３、Ｎｏ）、電源ボタンを押し下げることにより（ステップＳ１４）、電源をオンにする（ステップＳ１５）。
【００６１】
（第３の実施形態）
図６は、停電時設定を示す図である。図７は、第３の実施形態に係るシャットダウン処理を示すフローチャートである。前記停電時シャットダウンや停電復帰後電源オンは、ユーザがあらかじめプリンタに設定させておくことを可能とする。図６に示すように、プリンタのドライバ画面から設定可能であり、操作パネル８からも設定可能とする。
【００６２】
また、プリンタを移動させる際など、ＡＣアダプタ３１を少しの間抜いただけで停電と判断してシャットダウンしてしまうことを避けるため、ＡＣアダプタ３１の電源供給が絶たれてから停電と検知するための時間をユーザが設定できるようにする。ユーザの利用状況に応じて設定可能で利便性を上げることができる。
【００６３】
なお、停電検知からシャットダウンまでの間は、図７に示すフローチャートにて停電復帰検知をＣＰＵ３０１にて実施し、復帰を検知した場合は振り出しに戻るようにする。
ＡＣアダプタを駆動し（ステップＳ２１）、ＡＣアダプタの電源供給が絶たれ（ステップＳ２２、Ｙｅｓ）、停電復帰検知をＣＰＵ３０１にて実施し、復帰を検知した場合は（ステップＳ２３、Ｙｅｓ）、振り出しに戻るようにする。
【００６４】
停電復帰を検知しない場合は（ステップＳ２３、Ｎｏ）、停電検知設定時間が経過した後（ステップＳ２４、Ｙｅｓ）、シャットダウンする（ステップＳ２５）。停電検知設定時間が経過していない場合（ステップＳ２４、Ｎｏ）、停電が復帰したか検知する（ステップＳ２３）。
【００６５】
（第４の実施形態）
図８は、第４の実施形態に係るシャットダウン処理を示すフローチャートである。図４と同一のフローは、同一の符号を付して説明を省略する。
【００６６】
図７に示す手段にてユーザが予め停電時シャットダウン設定をしていなかったとしても（ステップＳ３１、Ｎｏ）、停電と検知した場合は印刷中以外は常に省エネ状態に入り（ステップＳ３３）、一定時間印刷ジョブがない場合は（ステップＳ３４、Ｙｅｓ）、シャットダウンするようにする（ステップＳ３５）。バッテリ消費を極力抑えることができる。
【００６７】
停電時シャットダウン設定をしていた場合（ステップＳ３１、Ｙｅｓ）、停電検知設定時間が経過した後（ステップＳ３２、Ｙｅｓ）、シャットダウンする（ステップＳ３５）。
【００６８】
本実施形態によれば、プリンタの使用状況に応じて、停電発生時に適切なシャットダウン処理を行い、バッテリの消費を極力抑えるように制御を行うので、停電発生時の無駄なバッテリ消費を抑え、バッテリでのプリント動作が必要になった際、プリンタを使用することができる。
【００６９】
なお、上述した実施の形態は、本発明の好適な実施の形態の一例を示すものであり、本発明はそれに限定されることなく、その要旨を逸脱しない範囲内において、種々変形実施が可能である。
【符号の説明】
【００７０】
１    マルチファンクションインクジェットプリンタ（ＭＦＰ）
２    バッテリ
１１    ＬＥＤ
３１    ＡＣアダプタ
３２    残量検知回路
３３    基板
３４    制御基板
３５    切替回路
３６    制御信号
３９    検知信号
４０    ＤＣ／ＤＣコンバータ
４２    残量少信号
４３    残量無信号
３０１    ＣＰＵ
【先行技術文献】
【特許文献】
【００７１】
【特許文献１】特開２００３−３２３２３５号公報
【図２】
2016095680.tif 000003
【図３】
2016095680.tif 000004
【図４】
2016095680.tif 000005
【図５】
2016095680.tif 000006
【図６】
2016095680.tif 000007
【図７】
2016095680.tif 000008
【図８】
2016095680.tif 000009
【図９】
2016095680.tif 000010
【図１０】
2016095680.tif 000011
【図１１】
2016095680.tif 000012
【図１】
2016095680.tif 000013